(57)【特許請求の範囲】
【請求項１】
見出し語と、前記見出し語に関連する関連語句を複数組関連付けて記憶している関連語記憶手段と、
見出し語と、前記見出し語の複数の種類の説明情報を複数組関連付けて辞書として記憶している辞書情報記憶手段と、
前記関連語記憶手段に記憶されたいずれかの見出し語をユーザ操作に応じて指定する見出し語指定手段と、
前記見出し語指定手段によって指定された見出し語に関連付けて記憶された関連語句が前記関連語記憶手段に複数記憶されている場合、関連付けられている複数の関連語句を前記指定された見出し語とともに表示画面に第１画面として表示させる第１画面表示制御手段と、
ユーザ操作に応じて、前記第１画面から、前記指定された見出し語が前記表示画面の第１領域に表示されている状態で、前記関連付けられている複数の関連語句の一覧が前記表示画面の第２領域に表示されているとともに、前記関連付けられている複数の関連語句のいずれかを新たな見出し語として辞書情報記憶手段より読み出された説明情報が前記表示画面の第３領域に表示されている第２画面に切り替える第２画面表示制御手段と、
を具備する情報表示制御装置。
【請求項２】
前記説明情報の複数の種類を一覧表示し、ユーザ操作により当該一覧表示された複数の種類のうちのいずれかを特定の種類として指定表示させる種類指定表示制御手段を備える請求項１記載の情報表示制御装置。
【請求項３】
前記辞書情報記憶手段は、見出し語と、前記見出し語の複数の種類の説明情報を複数組関連付けた辞書を複数有し、
前記第２画面表示制御手段により一覧表示された複数の関連語句それぞれについて前記複数の辞書で見出し語検索して、見出し語が検索された各辞書名を、前記一覧表示された該当する関連語句に対応づけてそれぞれ表示させる関連語見出有辞書名表示制御手段を備え、
前記第２画面表示制御手段は、
ユーザ操作により、前記見出し語が検索された各辞書名が対応づけて表示された関連語句が指定された場合に、当該見出し語が検索された各辞書名の辞書の各見出し語に関連付けられた特定の種類の説明情報を並列して表示させる、
請求項１又は２に記載の情報表示制御装置。
【請求項４】
前記第２画面表示制御手段は、
ユーザ操作により、前記見出し語が検索された辞書名が対応づけて表示されていない関連語句が指定された場合に、当該関連語句を構成する各単語について、いずれかの辞書を見出し語検索し、当該関連語句を構成する各単語の見出し語の説明情報を並列して表示させる請求項１〜３のいずれか１項に記載の情報表示制御装置。
【請求項５】
見出し語と、前記見出し語に関連する関連語句を複数組関連付けて記憶している関連語記憶サーバに記憶されたいずれかの見出し語をユーザ操作に応じて指定する見出し語指定手段と、
前記見出し語指定手段によって指定された見出し語に関連付けて記憶された関連語句が前記関連語記憶サーバに複数記憶されている場合、関連付けられている複数の関連語句を前記指定された見出し語とともに表示画面に第１画面として表示させる第１画面表示制御手段と、
ユーザ操作に応じて、前記第１画面から、前記指定された見出し語が前記表示画面の第１領域に表示されている状態で、前記関連付けられている複数の関連語句の一覧が前記表示画面の第２領域に表示されているとともに、前記関連付けられている複数の関連語句のいずれかを新たな見出し語として読み出された説明情報が前記表示画面の第３領域に表示されている第２画面に切り替える第２画面表示制御手段と、
を具備する情報表示制御装置。
【請求項６】
見出し語と、前記見出し語に関連する関連語句を複数組関連付けて記憶している関連語記憶手段と、
見出し語と、前記見出し語の複数の種類の説明情報を複数組関連付けて辞書として記憶している辞書情報記憶手段とを具備する情報表示制御装置において実行されるプログラムにおいて、
前記プログラムは、前記情報表示制御装置に、
前記関連語記憶手段に記憶されたいずれかの見出し語をユーザ操作に応じて指定させ、
前記指定された見出し語に関連付けて記憶された関連語句が前記関連語記憶手段に複数記憶されている場合、関連付けられている複数の関連語句を前記指定された見出し語とともに表示画面に第１画面として表示させ、
前記第１画面から、前記指定された見出し語が前記表示画面の第１領域に表示されている状態で、前記関連付けられている複数の関連語句の一覧が前記表示画面の第２領域に表示されているとともに、前記関連付けられている複数の関連語句のいずれかを新たな見出し語として辞書情報記憶手段より読み出された説明情報が前記表示画面の第３領域に表示されている第２画面に切り替えること、
を具備するプログラム。
【請求項７】
情報表示制御装置に、
見出し語と、前記見出し語に関連する関連語句を複数組関連付けて記憶している関連語記憶サーバに記憶されたいずれかの見出し語をユーザ操作に応じて指定させ、
前記見出し語指定手段によって指定された見出し語に関連付けて記憶された関連語句が複数記憶されている場合、関連付けられている複数の関連語句を前記指定された見出し語とともに表示画面に第１画面として表示させ、
前記第１画面から、前記指定された見出し語が前記表示画面の第１領域に表示されている状態で、前記関連付けられている複数の関連語句の一覧が前記表示画面の第２領域に表示されているとともに、前記関連付けられている複数の関連語句のいずれかを新たな見出し語として辞書情報記憶手段より読み出された説明情報が前記表示画面の第３領域に表示されている第２画面に切り替えること、
を具備するプログラム。
【発明の詳細な説明】
【技術分野】
【０００１】
本発明は、見出し語に関連付けられた複数の関連語句の調べたい種類の情報を容易に確認することができる情報表示制御装置およびその制御プログラムに関する。
【背景技術】
【０００２】
近年、電子辞書が広く普及しており、容易に検索文字に対応する説明語句を得ることができる。例えば、和英辞書の場合、検索文字に対応する複数の英訳（英単語や英語での説明語句）を得ることができる。しかしながら、その得られた英訳を吟味せずに英作文に用いると、不適切な英文になることが多々ある。このため、得られた各英訳を英和辞書や英英辞書で再度検索して、意味や用例を調べるよう学習指導されている。
【０００３】
また、日本語シソーラス（類語辞書）の場合、ある単語のニュアンスを変えた類語を探したい場合がある。しかし、多くの日本語シソーラス（類語辞書）では、複数の類語が分類されて記載されているのみで、意味の違いを知るには個々に国語辞書等で検索する必要がある。
【０００４】
従来の電子辞書では、検索文字に対応する見出し語を複数の辞書から検索して、見出し語を一覧表示する。そして、一覧表示された見出し語の中の見出し語を指定して、その指定された見出し語の説明をプレビュできる（特許文献１）。
【０００５】
また、辞書の説明情報から単語を指定して、所望の辞書で検索するジャンプ機能も従来から存在している（特許文献２）。
【先行技術文献】
【特許文献】
【０００６】
【特許文献１】特開２０１０−２０４９４４号公報
【特許文献２】特許第４８３１２４８号公報
【発明の概要】
【発明が解決しようとする課題】
【０００７】
しかし、従来のジャンプ検索では、見出し語の説明から、調べたい語句を１つずつ指定する必要がある。また指定した語句に対応する見出し語が、ジャンプ先の辞書に無い場合には、他の辞書をジャンプ先に指定したり、語句を構成する各単語毎にジャンプ検索して調べる必要があり、繁雑な操作が必要であった。
【０００８】
本発明は、上記実情に鑑みなされたもので、見出し語の複数の関連語句について、容易に調べたい種類の情報を確認することができる情報表示制御装置およびその制御プログラムを提供することを目的とする。
【課題を解決するための手段】
【０００９】
本発明の第１の観点は、見出し語と、前記見出し語に関連する関連語句を複数組関連付けて記憶している関連語記憶手段と、見出し語と、前記見出し語の複数の種類の説明情報を複数組関連付けて辞書として記憶している辞書情報記憶手段と、前記関連語記憶手段に記憶されたいずれかの見出し語をユーザ操作に応じて指定する見出し語指定手段と、前記見出し語指定手段によって指定された見出し語に関連付けて記憶された関連語句が前記関連語記憶手段に複数記憶されている場合、関連付けられている複数の関連語句を前記指定された見出し語とともに表示画面に第１画面として表示させる第１画面表示制御手段と、ユーザ操作に応じて、前記第１画面から、前記指定された見出し語が前記表示画面の第１領域に表示されている状態で、前記関連付けられている複数の関連語句の一覧が前記表示画面の第２領域に表示されているとともに、前記関連付けられている複数の関連語句のいずれかを新たな見出し語として辞書情報記憶手段より読み出された説明情報が前記表示画面の第３領域に表示されている第２画面に切り替える第２画面表示制御手段と、を具備する情報表示制御装置、である。
【発明の効果】
【００１０】
本発明によれば、見出し語の複数の関連語句について、容易に調べたい種類の情報を確認することができる。
【図面の簡単な説明】
【００１１】
【図１】本発明の実施形態に係る情報表示制御装置１０の電子回路の構成を示すブロック図。
【図２】前記情報表示制御装置１０を電子辞書装置１０Ｄにより実施した場合の外観構成を示す正面図。
【図３】前記情報表示制御装置１０をタブレット端末１０Ｔにより実施した場合の外観構成を示す正面図。
【図４】本実施の形態に係る情報表示制御装置１０の動作について説明するためのフローチャート（その１）。
【図５】本実施の形態に係る情報表示制御装置１０の動作について説明するためのフローチャート（その２）。
【図６】本実施の形態に係る情報表示制御装置１０の動作について説明するためのフローチャート（その３）。
【図７】本実施の形態に係る情報表示制御装置１０の動作について説明するためのフローチャート（その４）。
【図８】情報表示制御装置１０の情報表示制御処理に従ったユーザ操作に対応する表示画面（その１）を示す図。
【図９】情報表示制御装置１０の情報表示制御処理に従ったユーザ操作に対応する表示画面（その２）を示す図。
【図１０】情報表示制御装置１０の情報表示制御処理に従ったユーザ操作に対応する表示画面（その３）を示す図。
【図１１】情報表示制御装置１０の情報表示制御処理に従ったユーザ操作に対応する表示画面（その４）を示す図。
【図１２】情報表示制御装置１０の情報表示制御処理に従ったユーザ操作に対応する表示画面（その５）を示す図。
【図１３】情報表示制御装置１０の情報表示制御処理に従ったユーザ操作に対応する表示画面（その６）を示す図。
【図１４】情報表示制御装置１０の情報表示制御処理に従ったユーザ操作に対応する表示画面（その７）を示す図。
【図１５】情報表示制御装置１０の情報表示制御処理に従ったユーザ操作に対応する表示画面（その８）を示す図。
【図１６】情報表示制御装置１０の情報表示制御処理に従ったユーザ操作に対応する表示画面（その９）を示す図。
【図１７】情報表示制御装置１０の情報表示制御処理に従ったユーザ操作に対応する表示画面（その１０）を示す図。
【図１８】情報表示制御装置１０の情報表示制御処理に従ったユーザ操作に対応する表示画面（その１１）を示す図。
【発明を実施するための形態】
【００１２】
以下図面により本発明の実施の形態について説明する。
【００１３】
図１は、本発明の実施形態に係る情報表示制御装置１０の電子回路の構成を示すブロック図である。
【００１４】
この情報表示制御装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１５】
ＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネット上のＷｅｂサーバ（この場合はプログラムサーバ）からダウンロードされて前記メモリ１２に読み込まれた装置制御プログラムに応じて、回路各部の動作を制御する。
【００１６】
前記メモリ１２に記憶された装置制御プログラムは、キー入力部１５からのユーザ操作に応じた入力信号、タッチパネル式カラー表示部であるメイン画面１６やサブ画面１７からのユーザ操作に応じた入力信号、あるいは外部接続されるインターネット上のＷｅｂサーバとの通信信号、あるいは記録媒体読取部１４を介して外部接続されるＥＥＰＲＯＭ，ＲＡＭ，ＲＯＭなどの外部記録媒体１３との接続通信信号に応じて起動される。
【００１７】
前記ＣＰＵ１１には、前記メモリ１２、記録媒体読取部１４、キー入力部１５、メイン画面１６、サブ画面１７などが接続される。
【００１８】
前記メモリ１２に記憶される装置制御プログラムとしては、当該装置１０の全体の動作を司るシステムプログラム、外部接続されるインターネット上の各Ｗｅｂサーバ、ユーザＰＣ(Personal Computer)などとデータ通信するための通信プログラムが記憶される。
【００１９】
また、メモリ１２は、実施の形態に係る情報処理を行なう情報表示制御処理プログラム１２ａを記憶する。情報表示制御処理プログラム１２ａは、指定された第１の見出し語に関連付けて記憶された複数の関連語句を辞書データベースから読み出し、読み出された複数の関連語句を一覧表示する関連語句一覧表示制御処理、関連語句一覧表示制御処理によって表示された複数の関連語句のうち、指定された関連語句の指定された種類の説明情報を関連語句を見出し語として辞書データベースから読み出し、読み出された説明情報を表示する特定種類情報表示制御処理などを行なう。
【００２０】
メモリ１２には、辞書データベースとして、日本語類語辞書１２ｂ、国語辞書１２ｃ（国語辞書１、国語辞書２、・・・）、イントネーション辞書１２ｄ、和英辞書１２ｅ、英和辞書１２ｆ（英和辞書１；辞書名［ラ英］、［リ英］、英和辞書２辞書名；［研英］、英和辞書３；辞書名［研英］・・・）、英語類語辞書１２ｇ（英語類語辞書１、英語類語辞書２、・・・）、英和辞書例文データベース１２ｈ（英和辞書１例文データベース、英和辞書２例文データベース、・・・）を記憶している。
【００２１】
日本語類語辞書１２ｂは、見出し語と、その見出し語に対応する関連語句である類語（類語１、類語２、・・・）とが関連付けて記憶されたものである。
【００２２】
国語辞書１２ｃは、見出し語と、その見出し語に対応する意味、例文とが関連付けて記憶されたものである。実施形態では、国語辞書１２ｃは、複数の国語辞書１；辞書名［精日］、国語辞書２；辞書名［広辞］、国語辞書３；辞書名［明鏡］、・・・を有する。
【００２３】
イントネーション辞書１２ｄは、見出し語と、その見出し語に対応するイントネーションの表示、音声データとが関連付けて記憶されたものである。
【００２４】
和英辞書１２ｅは、見出し語と、その見出し語に対応する関連語句である英訳（英訳１、英訳２、・・・）とが関連付けて記憶されたものである。
【００２５】
英和辞書１２ｆは、見出し語と、その見出し語に対応する意味、例文とが関連付けて記憶されたものである。実施形態では、英和辞書１２ｆは、複数の英和辞書１、英和辞書２、・・・を有する。
【００２６】
英語類語辞書１２ｇは、見出し語と、その見出し語に対応する類語（類語１、類語２、・・・）とが関連付けて記憶されたものである。実施形態では、英語類語辞書１２ｇは、複数の英語類語辞書１、英語類語辞書２、・・・を有する。
【００２７】
英和辞書例文データベース１２ｈは、各英和辞書の見出し語毎の例文を集約して、例文に含まれる各単語から例文を検索できるようにしたデータベースである。例文データベースには、単語、例文番号などが記憶される。実施形態では、英和辞書例文データベース１２ｈは、複数の英和辞書１：例文データベース（単語１、例文番号…、単語２、例文番号…）、英和辞書２：例文データベース（単語１、例文番号…、単語２、例文番号…）を有する。
【００２８】
なおＣＰＵ１１と接続された通信部１００によりネットワーク１０１を介して、外部の辞書サーバ１０２から、日本語類語辞書１２ｂ、国語辞書１２ｃ、イントネーション辞書１２ｄ、和英辞書１２ｅ、英和辞書１２ｆ、英語類語辞書１２ｇ、英和辞書例文データベース１２ｈなどをダウンロードして、本体メモリ１２に記憶するようにしても良い。また辞書検索する毎に、外部の辞書サーバ１０２から該当する辞書の検索結果を受信して、本体に取得するようにしても良い。
【００２９】
図２は、前記情報表示制御装置１０を電子辞書装置１０Ｄにより実施した場合の外観構成を示す正面図である。
【００３０】
この図２における電子辞書装置１０Ｄの場合、開閉される装置本体の下段側に前記ＣＰＵ１１、メモリ１２、記録媒体読取部１４が内蔵されると共に、前記キー入力部１５、サブ画面１７、スピーカ１８が設けられ、上段側に前記メイン画面１６が設けられる。前記キー入力部１５には、文字入力キー１５ａ、各種の辞書指定キー１５ｂ、[訳／決定]キー１５ｃ、[戻る]キー１５ｄ等が備えられる。
【００３１】
図３は、前記情報表示制御装置１０をタブレット端末１０Ｔにより実施した場合の外観構成を示す正面図である。
【００３２】
この図３におけるタブレット端末１０Ｔの場合、前記ＣＰＵ１１、メモリ１２、記録媒体読取部１４は端末本体に内蔵され、また、メイン画面１６に必要に応じて表示される各種のアイコンやソフトキーボードが前記キー入力部１５として機能する。
【００３３】
図２における電子辞書装置１０Ｄのメイン画面１６および前記図３におけるタブレット端末１０Ｔのメイン画面１６は、和英辞書１２ｅにおいて、見出し語「しんまい」を検索して、マルチジャンプを行なった場合に表示される画面を示す図である。この画面の説明については、以下の情報表示制御装置１０の動作の説明とともに、後に詳細に説明する。
【００３４】
このように構成された情報表示制御装置１０は、前記ＣＰＵ１１が前記情報表示制御処理プログラム１２ａ（見出し語検索処理、見出し語一覧表示処理、指定種類情報表示処理、プレビュ表示処理等を実行するためのプログラムを含む）に記述された命令に従い回路各部の動作を制御し、ソフトウエアとハードウエアとが協働して動作することにより、以下の動作説明で述べる機能を実現する。
【００３５】
次に、実施形態に係る情報表示制御装置１０の動作について、図４乃至図７のフローチャートと、図８〜図１４の操作表示例を参照して説明する。なお、実施の形態においては、和英辞書１２ｅ又は日本語類語辞書１２ｂを使用する場合について説明するが、本願発明はこれに限られるものではない。
【００３６】
まず、図４に示すように、和英辞書１２ｅが選択されたか否かの判断が行なわれる（Ｓ１）。Ｓ１において、和英辞書１２ｅが選択されると、和英辞書１２ｅの検索文字入力画面が表示され、ユーザから入力された検索文字を受け付ける（Ｓ２）。
【００３７】
Ｓ２において、ユーザから入力された検索文字を受け付けると、入力された検索文字「しんまい」に対応する見出し語の一覧を表示する（Ｓ３）。図８に示すように、ユーザ操作により表示された見出し語の一覧の中から見出し語「しんまい」が指定されると、情報表示制御装置１０は、ユーザにより指定された見出し語を受け付ける（Ｓ４）。
【００３８】
次に、情報表示制御装置１０は、Ｓ４において選択された見出し語の説明情報（英訳１、英訳２、・・・）を和英辞書１２ｅから取得して表示する（Ｓ５）。
【００３９】
ここでは、説明情報のうちの各関連語句『英訳』として、「１  ［米］  『new rice』；  『first rice crop of the year』」、「２  ［新人］  『new hand』；  ［新参者］  『newcomer』；  ［初心者］  『beginner』，『novice』」等が表示される。
【００４０】
図８に示すように、説明情報の表示画面の左隅のアイコン表示領域１６Ｉには、マルチジャンプアイコンＭＪが表示されている。Ｓ６においては、マルチジャンプアイコンＭＪにタッチペンＰなどによるタッチを受け付けたか否かの判断が行なわれる。
【００４１】
Ｓ６において、マルチジャンプアイコンＭＪへのタッチを受け付けたと判断された場合には、各関連語句である英訳１、英訳２、・・・を見出し語検索対象として、一覧表示を行なう。図９の左側の欄ＬＭの各行には、各関連語句『new rice』、『first rice crop of the year』、『new hand』、『newcomer』、『beginner』、『novice』が一覧表示されて、先頭の行である『new rice』がマーカや反転表示で指定表示されている。そして、一覧表示された複数の関連語句それぞれについて前記複数の辞書で見出し語検索して、見出し語が検索された各辞書名を、前記一覧表示された該当する関連語句に対応づけてそれぞれ表示する。図９の各関連語句のうち、『newcomer』、『beginner』、『novice』の関連語句は「ラ英」「研英」「リ英」の各辞書で見出し語が検索され、各辞書名のアイコン「ラ英」「研英」「リ英」がそれぞれ表示されている。一方『new rice』、『first rice crop of the year』、『new hand』は、としていずれの辞書でも見出し語が検索されず、辞書名のアイコンは表示されていない（Ｓ７）。一方、Ｓ６において、マルチジャンプアイコンＭＪへのタッチを受け付けていないと判断された場合には、他のイベントに対する処理を行なうための処理モードに入る。
【００４２】
Ｓ７において一覧表示を行なった後、一覧表示を行なった先頭の関連語句を指定表示する。図９の左側の欄ＬＭの先頭の行である『new rice』が指定表示されている（Ｓ８）、表示の最も左の欄は、指定可能な情報の種類を一覧表示する種類表示欄であり、初期状態においては情報の種類が「意味」に初期設定されて「意味」アイコンがマーカや反転表示で指定表示されている（Ｓ９）。次に、情報の種類が「意味」に設定されているか否かの判断を行ない（Ｓ１０）、指定された関連語句について、各英和辞書を見出し語検索（複数辞書検索）する（Ｓ１１）。
【００４３】
Ｓ１１の処理の後、検索された複数の英和辞書において、指定された関連語句について、見出し語が存在するか否かの判断が行なわれる（Ｓ１２）。Ｓ１２において、見出し語が存在すると判断された場合には、各英和辞書について、検索された見出し語の説明情報のうち、指定の情報種類（＝意味）の部分を、それぞれ表示する（Ｓ１３）。
【００４４】
一方、Ｓ１２において、当該関連語句に対応する見出し語が存在しないと判断された場合には、当該関連語句を構成する各単語について、いずれかの辞書を見出し語検索し、当該関連語句を構成する各単語毎に見出し語検索し、主要な意味を表示する（Ｓ１４）図９は、Ｓ９の処理により情報表示アイコン［意味］Ｉａが設定され、Ｓ８の処理により関連語句一覧表示エリアｄｍ１の関連語句「new rice」が指定表示され、Ｓ１４の処理により、指定された関連語句「new rice」の各単語「new」、「rice」の意味がプレビュエリアＰＶに表示された画面を示している。Ｓ１３及びＳ１４の処理の終了後、ユーザによる関連語句の指定があるか否かの判断が行なわれる（Ｓ１５）。
【００４５】
Ｓ１５において、ユーザによる関連語句の指定があると判断された場合には、ユーザにより指定された関連語句を指定表示して（Ｓ１６）、Ｓ１０の処理に戻る。Ｓ１５において、ユーザにより指定された関連語句がないと判断された場合、ユーザによる情報の種類の設定が行なわれたか否かの判断が行われる（Ｓ１７）。
【００４６】
Ｓ１７において、ユーザによる情報の種類の設定が行なわれたと判断された場合には、設定された種類の情報表示アイコン（［意味］Ｉａ，［例文］Ｉｂ，［類語］Ｉｃ）を指定表示して（Ｓ１８）、Ｓ１０の処理に戻る。Ｓ１７において、ユーザによる情報の種類の設定が行なわれていないと判断された場合、他のイベントに対する処理を行なうための処理モードに入る。
【００４７】
図９は、Ｓ１３において表示される一覧表示画面の一例を示す図である。
【００４８】
同図に示すように、一覧表示画面の左欄にはアイコン表示エリア１６Ｉが設けられている。このアイコン表示エリア１６Ｉには、情報表示アイコン［意味］Ｉａ，［例文］Ｉｂ，［類語］Ｉｃが表示される。同図においては、情報表示アイコン［意味］Ｉａが指定された状態を示しており、Ｓ９の処理により指定表示されている。指定表示は、例えば、［意味］アイコンＩａを黄色で指定表示する。
【００４９】
アイコン表示エリア１６Ｉの右隣側には、見出し語一覧エリアＬＭが設けられている。見出し語一覧エリアＬＭには、図８の画面に示すように、見出し語「しんまい」にて検索された英訳を含む説明情報のうち、英訳が、Ｓ７の処理により、英訳毎に関連語句一覧表示エリアｄｍ１，ｄｍ２，．．．，ｄｍ６にそれぞれ表示される。なお、各関連語句一覧表示エリアｄｍ１，ｄｍ２，．．．，ｄｍ６には、複数行分のエリアが確保される。
【００５０】
図９においては、関連語句一覧表示エリアｄｍ１には「new rice」、関連語句一覧表示エリアｄｍ２には「the first rice crop of the year」、関連語句一覧表示エリアｄｍ３には「new hand」、関連語句一覧表示エリアｄｍ４には「newcomer」、関連語句一覧表示エリアｄｍ５には「beginner」、関連語句一覧表示エリアｄｍ６には「novice」が表示される。関連語句一覧表示エリアｄｍ１は、Ｓ８の処理により、指定表示される。指定表示は、関連語句一覧表示エリアｄｍ１の背景を、例えば、緑色で表示する。
【００５１】
また、関連語句一覧エリアｄｍ４〜ｄｍ６の右側には、関連語句一覧表示エリアｄｍ４〜ｄｍ６の見出し語として検索可能な英和辞書のアイコン（［ラ英］ｄ１、［研英］ｄ２、［リ英］ｄ３）が表示される。
【００５２】
関連語句一覧表示エリアＬＭの右隣には、プレビュエリアＰＶが設けられている。プレビュエリアＰＶには、アイコン表示エリア１６Ｉの指定された情報アイコンの種別（［意味］Ｉａ，［例文］Ｉｂ，［類語］Ｉｃ）に応じ、指定された見出し語エリア（ｄｍ１，ｄｍ２，．．．，ｄｍ６）の英和辞書の特定種類の説明情報（意味又は例文又は）が見出し語検索された辞書ごとにプレビュ表示される。
【００５３】
図１０は、Ｓ１８の処理により設定された種類の情報表示アイコン［意味］Ｉａが指定表示され、Ｓ１６の処理によりユーザにより指定された関連語句一覧表示エリアｄｍ５の関連語句「beginner」が指定表示され、Ｓ１３の処理により各英和辞書（［ラ英］ｄ１、［研英］ｄ２、［リ英］ｄ３）について、検索された見出し語「beginner」の説明情報のうち、指定の情報種類（＝意味）である英訳を、それぞれ表示した画面を示す図である。
【００５４】
プレビュエリアＰＶには、検索された各英和辞書（［ラ英］ｄ１、［研英］ｄ２、［リ英］ｄ３）毎に、プレビュ表示ｐｖ１〜ｐｖ３のためのプレビュ表示欄が設けられる。プレビュｐｖ１のプレビュ表示欄の左上隅には、検索された英和辞書のアイコン［ラ英］ｄ１が表示される。プレビュｐｖ２のプレビュ表示欄の左上隅には、検索された英和辞書のアイコン［研英］ｄ２が表示される。プレビュｐｖ３のプレビュ表示欄の左上隅には、検索された英和辞書のアイコン［リ英］ｄ３がプレビュ表示される。
【００５５】
また、プレビュ表示ｐｖ１〜ｐｖ３のための各プレビュ表示欄には、各英和辞書（［ラ英］ｄ１、［研英］ｄ２、［リ英］ｄ３）毎に、関連語句に対応する各辞書の見出し語「beginner」に含まれる説明情報のうち、説明情報に含まれる指定された情報＝「意味」に対応する説明情報（英訳部分）が表示される。
【００５６】
具体的には、プレビュ表示ｐｖ１では、英和辞書［ラ英］ｄ１の英訳[1 開始者,創始[創立]者,開祖.  2 初学者,初心者;未経験者;未熟者:] がプレビュ表示され、プレビュ表示ｐｖ２では、英和辞書［研英］ｄ２の英訳[1  初学者, 初心者; (特に)未熟者  2  〔会などの〕創立者, 創始者,] がプレビュ表示され、プレビュ表示ｐｖ３では、英和辞書［リ英］ｄ３の英訳[始めた人，  創始者；  初学者，  初心者］ がプレビュ表示される。
【００５７】
図１１は、Ｓ１８の処理により設定された種類の情報表示アイコン［意味］Ｉａが指定表示され、Ｓ１６の処理によりユーザにより指定された関連語句一覧表示エリアｄｍ６の関連語句「novice」が指定表示され、Ｓ１３の処理により各英和辞書（［ラ英］ｄ１、［研英］ｄ２、［リ英］ｄ３）について、検索された見出し語「novice」の説明情報に含まれる指定の情報種類（＝意味）である英訳を、それぞれ表示した画面を示す図である。
【００５８】
プレビュ表示ｐｖ１〜ｐｖ３のための各プレビュ表示欄には、各英和辞書（［ラ英］ｄ１、［研英］ｄ２、［リ英］ｄ３）毎に、各辞書の見出し語「novice」に含まれる説明情報の一部と、見出し語「novice」の説明情報に含まれる指定された情報＝「意味」に対応する英訳（プレビュ表示ｐｖ１では、[1 (…の)未熟者,初心者;新参者 2 修練者,修練士[女]:修道誓願]) がプレビュ表示される。
【００５９】
一方、Ｓ１０において、情報の種類が「意味」に設定されていないと判断された場合には、情報の種類が「例文」に設定されているか否かの判断が行なわれる（Ｓ１９）。Ｓ１９において、情報の種類が「例文」に設定されていると判断された場合には、指定された関連語句について、各英和辞書の例文データベースでそれぞれ例文検索を行なう（Ｓ２０）。このように、各英和辞書例文データベース１２ｈの例文データベースを利用して、指定された関連語句について例文検索を行なうことにより、和英辞書１２ｅに掲載された例文のみならず、他の英和辞書例文データベース１２ｈに掲載された例文も確認することができる。次に、各英和辞書について、検索された説明情報のうち、指定の情報種類（＝例文）の部分を、それぞれ表示し（Ｓ２１）、Ｓ１５の処理に移る。
【００６０】
Ｓ１９において、情報の種類が「例文」に設定されていないと判断された場合、情報の種類＝類語であると判断して、指定された関連語句について、英語類語辞書を見出し語検索（複数辞書検索）する（Ｓ２２）。各英和辞書について、検索された見出し語の説明情報のうち、指定の情報種類（＝類語）の部分を、それぞれ表示し（Ｓ２３）、Ｓ１５の処理に移る。
【００６１】
図１２は、設定された種類の情報表示アイコン［例文］ＩｂがＳ１８の処理により指定表示され、Ｓ１６の処理によりユーザにより指定された関連語句一覧表示エリアｄｍ６の関連語句「novice」が指定表示され、Ｓ２１の処理により各英和辞書（［ラ英］ｄ１、［研英］ｄ２、［リ英］ｄ３、［英活］ｄ４）について、例文データベースを用いて、指定の情報種類（＝例文）である見出し語「novice]を含む例文を、それぞれ表示した画面を示す図である。なお、例文の検索は、例えば、各英和辞書（［ラ英］ｄ１、［研英］ｄ２、［リ英］ｄ３、［英活］ｄ４）に含まれる例文を示す記号を基に行なわれる。
【００６２】
図１３は、図１２の画面において、プレビュ表示ｐｖ３のためのプレビュ表示欄がタッチペンＰなどによるタッチを受け付けた場合に、表示される画面を示す図である。図１３に示すように、プレビュ表示ｐｖ３のためのプレビュ表示欄へのタッチが受け付けられると、プレビュ表示ｐｖ３のためのプレビュ表示欄に表示しきれなかった英和辞書［英活］ｄ４の例文がメイン画面１６全体に表示される。
【００６３】
図１４は、Ｓ１８の処理により設定された種類の情報表示アイコン［類語］Ｉｂが指定表示され、Ｓ１６の処理によりユーザにより指定された関連語句一覧表示エリアｄｍ６の関連語句「novice」が指定表示され、Ｓ２３の処理により各英語類語辞書（［オ類］ｄ５、［口類］ｄ６、［英類］ｄ７）について、検索された見出し語「novice]の説明情報の一部と、説明情報に含まれる指定の情報種類（＝類語）である類語を、それぞれ表示した画面を示す図である。
【００６４】
フローチャートの説明に戻る。Ｓ１において、和英辞書１２ｅが選択されていないと判断された場合には、日本語類語辞書１２ｂが選択されているか否かの判断が行われる（Ｓ３１）。Ｓ３１において、日本語類語辞書１２ｂが選択されていると判断されると、日本語類語辞書１２ｂの検索文字入力画面が表示され、ユーザから入力された検索文字を受け付ける（Ｓ３２）。Ｓ３１において、日本語類語辞書１２ｂが選択されていないと判断されると、他のイベントに対する処理を行なうための処理モードに入る。
【００６５】
Ｓ３２において、ユーザから入力された検索文字を受け付けると、入力された検索文字に対応する見出し語の一覧を表示する（Ｓ３３）。ユーザが、表示された見出し語の一覧の中から見出し語を選択すると、情報表示制御装置１０は、ユーザにより選択された見出し語を受け付ける（Ｓ３４）。
【００６６】
次に、情報表示制御装置１０は、Ｓ３４において選択された見出し語の説明情報（類語１、類語２、・・・）を日本語類語辞書１２ｂから取得して表示する（Ｓ３５）。
【００６７】
図１５は、日本語類語辞書１２ｂとして「日本語○シソーラス」を選択し、検索文字として「しんすい」を入力して、「浸水」がユーザ操作により指定された場合に表示される日本語類語辞書１２ｂの説明情報を表示する表示画面の一例を示す図である。同図に示すように、メイン画面１６には、指定された見出し語「浸水」が表示されるとともに、「浸水」の説明情報として関連語句である類語「浸水」「水浸し」「水漬く」「冠水」「浸潤」・・・」等が表示される。
【００６８】
図１５に示すように、説明情報の表示画面の左隅のアイコン表示領域１６Ｉには、マルチジャンプアイコンＭＪが表示されている。Ｓ３６においては、マルチジャンプアイコンＭＪにタッチペンＰなどによるタッチを受け付けたか否かの判断が行なわれる。
【００６９】
Ｓ３６において、マルチジャンプアイコンＭＪへのタッチを受け付けたと判断された場合には、関連語句である類語１、類語２、・・・を関連語句一覧表示として、一覧表示を行なう。そして、一覧表示された複数の関連語句それぞれについて前記複数の辞書で見出し語検索して、見出し語が検索された各辞書名を、前記一覧表示された該当する関連語句に対応づけてそれぞれ表示する。図１５の各関連語句のうち、「浸水」「冠水」「浸潤」の関連語句は「精日」「広辞」「明鏡」の各辞書で見出し語が検索され、各辞書名のアイコン「精日」「広辞」「明鏡」がそれぞれ表示されている。一方「水浸し」は、「精日」「広辞」のみで見出し語が検索されず辞書名アイコン「精日」「広辞」のみが表示されている。また「水漬く」は、「広辞」「明鏡」のみで見出し語が検索されず辞書名アイコン「広辞」「明鏡」のみが表示されている。（Ｓ３７）。一方、Ｓ３６において、マルチジャンプアイコンＭＪへのタッチを受け付けていないと判断された場合には、他のイベントに対する処理を行なうための処理モードに入る。
【００７０】
次に、一覧表示を行なった先頭の関連語句を指定表示し（Ｓ３８）、情報の種類を「意味」に初期設定して意味アイコンを指定表示する（Ｓ３９）。次に、情報の種類が「意味」に設定されているか否かの判断を行ない（Ｓ４０）、情報の種類が「意味」に設定されていると判断された場合には、指定された関連語句について、各国語辞書１２ｃ（国語辞書１、国語辞書２、・・・）を見出し語検索（複数辞書検索）する（Ｓ４１）。
【００７１】
次に、各国語辞書１２ｃ（国語辞書１、国語辞書２、・・・）について、検索された見出し語の説明情報のうち、指定の情報種類（＝意味）の部分を、それぞれ表示し（Ｓ４２）、ユーザによる関連語句の指定があるか否かの判断が行なわれる（Ｓ４３）。
【００７２】
Ｓ４３において、ユーザによる関連語句の指定があると判断された場合には、ユーザにより指定された関連語句を指定表示して（Ｓ４４）、Ｓ４０の処理に戻る。Ｓ４３において、ユーザにより関連語句が指定されないと判断された場合、ユーザによる情報の種類の設定が行なわれたか否かの判断が行われる（Ｓ４５）。
【００７３】
Ｓ４５において、ユーザによる情報の種類の設定が行なわれたと判断された場合には、設定された種類の情報表示アイコン（［意味］Ｉａ，［例文］Ｉｂ，［発音］Ｉｄ）を指定表示して（Ｓ４６）、Ｓ４０の処理に戻る。Ｓ４５において、ユーザによる情報の種類の設定が行なわれていないと判断された場合、他のイベントに対する処理を行なうための処理モードに入る。
【００７４】
図１６は、Ｓ４２において表示される一覧表示画面の一例を示す図である。
【００７５】
同図に示すように、一覧表示画面の左欄にはアイコン表示エリア１６Ｉが設けられている。このアイコン表示エリア１６Ｉには、情報表示アイコン［意味］Ｉａ，［例文］Ｉｂ，［発音］Ｉｄが表示される。同図においては、情報表示アイコン［意味］Ｉａが指定された状態を示しており、Ｓ３９の処理により指定表示されている。指定表示は、例えば、［意味］アイコンＩａを黄色で指定表示する。
【００７６】
アイコン表示エリア１６Ｉの右隣側には、関連語句一覧表示ＬＭが設けられている。関連語句一覧表示ＬＭには、図１５の画面に示すように、見出し語「浸水」にて検索された関連語句である類語「浸水」「水浸し」「水漬く」「冠水」「浸潤」・・・が、Ｓ４２の処理により、関連語句一覧表示エリアｄｍ１，ｄｍ２，．．．，ｄｍ５に一覧表示される。なお、各関連語句一覧表示エリアｄｍ１，ｄｍ２，．．．，ｄｍ５は、複数行分のエリアが確保される。
【００７７】
また、関連語句一覧表示エリアｄｍ１〜ｄｍ５の右側には、関連語句一覧表示エリアｄｍ１〜ｄｍ５の関連語句に対応する見出し語として検索可能な国語辞書のアイコン（［精日］ｄ１１、［広辞］ｄ１２、［明鏡］ｄ１３）が表示される。このように、関連語句一覧表示エリアｄｍ１〜ｄｍ５に、関連語句に対応する見出し語として検索可能な国語辞書のアイコン（［精日］ｄ１１、［広辞］ｄ１２、［明鏡］ｄ１３）を表示することにより、ユーザが当該関連語句がどの辞書により、見出し語として検索可能であるかを把握することができる。
【００７８】
関連語句一覧表示エリアＬＭの右隣には、プレビュエリアＰＶが設けられている。プレビュエリアＰＶには、アイコン表示エリア１６Ｉの指定された情報アイコンの種別（［意味］Ｉａ，［例文］Ｉｂ，［発音」Ｉｄ）に応じ、指定された関連語句一覧表示エリア（ｄｍ１，ｄｍ２，．．．，ｄｍ５）の国語辞書１２ｃ（国語辞書１、国語辞書２、・・・）の説明情報（見出し語、意味、発音）が辞書ごとにプレビュ表示される。
【００７９】
図１６は、Ｓ３９の処理により情報表示アイコン［意味］Ｉａが設定され、Ｓ３８の処理により関連語句一覧表示エリアｄｍ１が指定表示され、Ｓ４２の処理により各国語辞書（［精日］ｄ１１、［広辞］ｄ１２、［明鏡］ｄ１３）について、検索された見出し語「浸水」の説明情報のうち、指定の情報種類（＝意味）である部分を、それぞれ表示した画面を示す図である。
【００８０】
プレビュエリアＰＶには、検索された各国語辞書（［精日］ｄ１１、［広辞］ｄ１２、［明鏡］ｄ１３）毎に、プレビュ表示ｐｖ１〜ｐｖ３のためのプレビュ表示欄が設けられる。プレビュｐｖ１のプレビュ表示欄の左上隅には、検索された国語辞書のアイコン［精日］ｄ１１が表示される。プレビュｐｖ２のプレビュ表示欄の左上隅には、検索された国語辞書のアイコン［広辞］ｄ１２が表示される。プレビュｐｖ３のプレビュ表示欄の左上隅には、検索された国語辞書の［明鏡］ｄ１３がプレビュ表示される。
【００８１】
また、プレビュ表示ｐｖ１〜ｐｖ３のための各プレビュ表示欄には、各国語辞書（［精日］ｄ１１、［広辞］ｄ１２、［明鏡］ｄ１３）毎に、各辞書の見出し語「浸水」に含まれる説明情報のうち、見出し語「浸水」の説明情報の一部と、説明情報に含まれる指定された情報＝「意味」に対応する部分がプレビュ表示される。
【００８２】
具体的には、プレビュ表示ｐｖ１では、国語辞書［精日］ｄ１１の対応する部分［「名」  水がはいり込むこと。ものが水につかること。洪水などのために水びたしになること。また、その水。］がプレビュ表示され、プレビュ表示ｐｖ２では、国語辞書［広辞］ｄ１２の対応する部分［物が水にひたること。水びたしになること。また、大量の水がはいりこむこと。「床上−」］がプレビュ表示され、プレビュ表示ｐｖ３では、国語辞書［明鏡］ｄ１３の対応する部分［水が入りこむこと。水にひたること。また、その水。「床下−」］がプレビュ表示される。
【００８３】
図１７は、Ｓ３８の処理により設定された種類の情報表示アイコン［意味］Ｉａが指定表示され、Ｓ４４の処理によりユーザにより指定された関連語句一覧表示エリアｄｍ４の関連語句「冠水」が指定表示され、Ｓ４２の処理により各国語辞書（［精日］ｄ１１、［広辞］ｄ１２、［明鏡］ｄ１３）について、検索された見出し語「冠水」の説明情報の一部と、説明情報に含まれる指定の情報種類（＝意味）である部分を、それぞれ表示した画面を示す図である。
【００８４】
プレビュ表示ｐｖ１〜ｐｖ３のための各プレビュ表示欄には、各国語辞書（［精日］ｄ１１、［広辞］ｄ１２、［明鏡］ｄ１３）毎に、各辞書の見出し語「冠水」に含まれる説明情報の一部と、見出し語「冠水」の説明情報に含まれる指定された情報＝「意味」に対応する部分（プレビュ表示ｐｖ１では、「［名］洪水などで田畑や作物が水につかること。また一般に、大雨などで土地やそこにある物が水につかること・・) 」がプレビュ表示される。
【００８５】
一方、Ｓ４０において、情報の種類が「意味」に設定されていないと判断された場合には、情報の種類が「例文」に設定されているか否かについての判断が行われる（Ｓ４７）。
【００８６】
情報の種類が「例文」に設定されていると判断された場合には、指定された関連語句について、各国語辞書１２ｃ（国語辞書１、国語辞書２、・・・）を見出し語検索（複数辞書検索）する（Ｓ４８）。
【００８７】
次に、各国語辞書１２ｃ（国語辞書１、国語辞書２、・・・）について、検索された見出し語の説明情報のうち、指定の情報種類（＝例文）の部分を、それぞれ表示し（Ｓ４９）、Ｓ４３の処理に移る。このように、各国語辞書１２ｃを利用して、指定された見出し語の例文を抽出することにより、日本語類語辞書１２ｂに掲載された例文のみならず、他の国語辞書１２ｃに掲載された例文も確認することができる。
【００８８】
図１８は、設定された種類の情報表示アイコン［例文］ＩｂがＳ４６の処理により指定表示され、Ｓ４４の処理によりユーザにより指定された関連語句一覧表示エリアｄｍ４の関連語句「冠水」が指定表示され、Ｓ４９の処理により各国語辞書（［精日］ｄ１１、［広辞］ｄ１２、［明鏡］ｄ１３）について、指定の情報種類（＝例文）である見出し語「冠水]を含む例文を、それぞれ表示した画面を示す図である。
【００８９】
プレビュ表示ｐｖ１〜ｐｖ３のための各プレビュ表示欄には、各国語辞書（［精日］ｄ１１、［広辞］ｄ１２、［明鏡］ｄ１３）毎に、各辞書の見出し語「冠水」の説明情報に含まれる指定された情報＝「例文」に対応する部分がプレビュ表示される。例えば、プレビュ表示ｐｖ１では、「日本の気象(1956)＜高橋浩一郎＞六「早まき・早植え・早刈り取りということで、冠水から稲を守っている」が表示される。
【００９０】
Ｓ４７において、情報の種類が「例文」に設定されていないと判断された場合には、情報の種類＝音声であると判断して、指定された関連語句について、イントネーション辞書１２ｄを見出し語検索（複数辞書検索）する（Ｓ５０）。次に、イントネーション辞書１２ｄについて、検索された見出し語の説明情報のうち、指定の情報種類（＝音声）の部分（イントネーション表記）を表示し（Ｓ５１）、Ｓ４３の処理に移る。
【００９１】
従って、本実施の形態によれば、説明情報に含まれる関連語句を見出し語一覧エリアＬＭに一覧表示を行ない、ユーザ又は初期設定により指定された関連語句の指定された種類（意味、例文、類語など）の情報を容易に確認することができる。
【００９２】
前記実施形態において記載した情報表示制御装置１０による各処理の手法およびデータベース、すなわち、図４〜図７のフローチャートに示す情報表示制御処理等の各手法、および各種の辞書コンテンツ（１２ｂ〜１２ｈ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、表示画面（１６）を備えた電子機器のコンピュータは、この外部記録媒体１３に記憶されたプログラムをメモリ１２に読み込み、この読み込んだプログラムによって動作が制御されることにより、前記実施形態において説明した見出し語検索機能を実現し、前述した手法による同様の処理を実行することができる。
【００９３】
また、前記各手法を実現するためのプログラムのデータは、プログラムコードの形態として通信ネットワーク上を伝送させることができ、このプログラムデータを、通信ネットワークに接続された表示画面（１６）を備える電子機器のコンピュータに通信によって取り込むことで、前述した見出し語検索機能を実現することもできる。
【００９４】
また、前記実施形態では、前記情報表示制御装置１０を、電子辞書専用の携帯機器（電子辞書装置１０Ｄ）、辞書機能を備えたタブレット端末２０Ｔ、携帯電話、電子ブック、携帯ゲーム機等の電子機器単体にて実現する場合として説明した。
【００９５】
これに対し、通信ネットワーク上のＷｅｂサーバ（情報表示制御サーバ）に、前述した辞書コンテンツ（１２ｂ〜１２ｈ）と情報表示制御処理プログラム１２ａに基づく見出し語検索機能を持たせる。そして当該Ｗｅｂサーバ（情報表示制御サーバ）にタッチパネル式表示画面（１６）を備えた端末装置からアクセスし、所望の検索語の「見出し語」を送信することで、当該検索語の「見出し語」に対応して説明情報である複数の関連語句を取得し、取得した複数の関連語句を見出し語一覧画面（ＬＭ）に表示する。また、見出し語一覧画面（ＬＭ）に表示された複数の関連語句のうち、指定された関連語句を見出し語として、Ｗｅｂサーバから、指定された関連語句に関連付けて記憶された説明情報を取得し、取得した説明情報を辞書ごとに、プレビュエリアＰＶにプレビュプレビュ表示（ｐｖ１〜ｐｖ３）しても良い。
【００９６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９７】
以下に、本願出願の当初の特許請求の範囲に記載された発明を付記する。
【００９８】
［１］
見出し語と、前記見出し語に関連する複数の関連語句を複数組関連付けて記憶している関連語記憶手段と、
見出し語と、前記見出し語の複数の種類の説明情報を複数組関連付けて辞書として記憶している辞書情報記憶手段と、
前記関連語記憶手段に記憶されたいずれかの見出し語をユーザ操作に応じて指定する見出し語指定手段と、
前記見出し語指定手段によって指定された見出し語に関連付けて記憶された複数の関連語句を前記関連語辞書記憶手段から読み出し、前記読み出された複数の関連語句を一覧表示させる関連語一覧表示制御手段と、
前記関連語一覧表示制御手段によって一覧表示された複数の関連語句のいずれかの関連語句を指定表示しつつ、前記辞書情報記憶手段から当該指定表示された関連語句に対応する見出し語の特定の種類の説明情報を読み出して表示させる特定種類情報表示制御手段と、
を具備する情報表示制御装置。
【００９９】
［２］
前記説明情報の複数の種類を一覧表示し、ユーザ操作により当該一覧表示された複数の種類のうちのいずれかを前記特定の種類として指定表示させる種類指定表示制御手段を備える［１］記載の情報表示制御装置。
【０１００】
［３］
前記辞書情報記憶手段は、見出し語と、前記見出し語の複数の種類の説明情報を複数組関連付けた辞書を複数有し、
前記関連語一覧表示制御手段により一覧表示された複数の関連語句それぞれについて前記複数の辞書で見出し語検索して、見出し語が検索された各辞書名を、前記一覧表示された該当する関連語句に対応づけてそれぞれ表示させる関連語見出有辞書名表示制御手段を備え、
前記特定種類情報表示制御手段は、
ユーザ操作により、前記見出し語が検索された各辞書名が対応づけて表示された関連語句が指定された場合に、当該見出し語が検索された各辞書名の辞書の各見出し語に関連付けられた特定種類の説明情報を並列して表示させる、
［１］又は［２］に記載の情報表示制御装置。
【０１０１】
［４］
前記特定種類情報表示制御手段は、
ユーザ操作により、前記見出し語が検索された辞書名が対応づけて表示されていない関連語句が指定された場合に、当該関連語句を構成する各単語について、いずれかの辞書を見出し語検索し、当該関連語句を構成する各単語の見出し語の説明情報を並列して表示させる［１］〜［３］のいずれか１項に記載の情報表示制御装置。
【０１０２】
［５］
見出し語と、前記見出し語に関連する複数の関連語句を複数組関連付けて記憶している関連語記憶サーバに記憶されたいずれかの見出し語をユーザ操作に応じて指定する見出し語指定手段と、
前記見出し語指定手段によって指定された見出し語に関連付けて記憶された複数の関連語句を前記関連辞書記憶サーバから取得し、前記取得された複数の関連語句を一覧表示させる関連語句一覧表示制御手段と、
前記関連語句一覧表示制御手段によって一覧表示された複数の関連語句のいずれかの指関連語句を指定表示しつつ、前記辞書情報記憶手段から当該指定表示された関連語句に対応する見出し語の特定の種類の説明情報を読み出して表示させる特定種類情報表示制御手段と、
を具備する情報表示制御装置。
【０１０３】
［６］
見出し語と、前記見出し語に関連する複数の関連語句を複数組関連付けて記憶している関連語記憶手段と、
見出し語と、前記見出し語の複数の種類の説明情報を複数組関連付けて辞書として記憶している辞書情報記憶手段とを具備する情報表示制御装置において実行されるプログラムにおいて
前記プログラムは、前記情報表示制御装置に、
前記関連語記憶手段に記憶されたいずれかの見出し語をユーザ操作に応じて指定させ、
前記指定された見出し語に関連付けて記憶された複数の関連語句を前記関連語辞書記憶手段から読み出させ、前記読み出された複数の関連語句を一覧表示させ、
前記一覧表示された複数の関連語句のいずれかの関連語句を指定表示させつつ、前記辞書情報記憶手段から当該指定表示された関連語句に対応する見出し語の特定の種類の説明情報を読み出させて表示させること、
を具備するプログラム。
【０１０４】
［７］
情報表示制御装置に、
見出し語と、前記見出し語に関連する複数の関連語句を複数組関連付けて記憶している関連語記憶サーバに記憶されたいずれかの見出し語をユーザ操作に応じて指定させ、
前記見出し語指定手段によって指定された見出し語に関連付けて記憶された複数の関連語句を前記関連辞書記憶サーバから取得させ、前記取得された複数の関連語句を一覧表示させ、
前記関連語句一覧表示制御手段によって一覧表示された複数の関連語句のいずれかの指関連語句を指定表示させつつ、前記辞書情報記憶手段から当該指定表示された関連語句に対応する見出し語の特定の種類の説明情報を読み出して表示させること、
を具備するプログラム。
【符号の説明】
【０１０５】
１０  …情報表示制御装置
１０Ｄ…電子辞書装置
１０Ｔ…タブレット端末
１１  …ＣＰＵ
１２  …メモリ
１２ａ…情報表示制御処理プログラム
１２ｂ…類語辞書、
１２ｃ…国語辞書、
１２ｄ…イントネーション辞書、
１２ｅ…和英辞書、
１２ｆ…英和辞書（英和辞書１、英和辞書２、・・・）、
１２ｇ…英語類語辞書１２ｇ（英語類語辞書１、英語類語辞書２、・・・）、
１２ｈ…英和辞書例文データベース１２ｈ（英和辞書１、英和辞書２、・・・）
１３  …外部記録媒体
１４  …記録媒体読取部
１５  …キー入力部
１６  …メイン画面（タッチパネル式）
Ｉａ〜Ｉｄ…情報表示アイコン
ＬＭ  …見出し語一覧エリア
ｄｍｎ…関連語句一覧表示エリア
ＰＶ  …プレビュエリア
ｐｖｎ…プレビュ表示
【図１】
0006507540.tif 000002
【図２】
0006507540.tif 000003
【図３】
0006507540.tif 000004
【図４】
0006507540.tif 000005
【図５】
0006507540.tif 000006
【図６】
0006507540.tif 000007
【図７】
0006507540.tif 000008
【図８】
0006507540.tif 000009
【図９】
0006507540.tif 000010
【図１０】
0006507540.tif 000011
【図１１】
0006507540.tif 000012
【図１２】
0006507540.tif 000013
【図１３】
0006507540.tif 000014
【図１４】
0006507540.tif 000015
【図１５】
0006507540.tif 000016
【図１６】
0006507540.tif 000017
【図１７】
0006507540.tif 000018
【図１８】
0006507540.tif 000019